(57)【要約】【課題】コストの低い冠動脈疾患予防マッサージ器を提供する。【解決手段】冠動脈疾患予防マッサージ器は、光子手袋９、心臓保護板１２、及び光子手袋９と心臓保護板１２との制御に用いる機器１を含み、この三者の間は電気的に接続している。光子手袋９には、親指以外の４本の指を入れる４つの穴、３本の光子器固定ベルト及び光子器固定ベルトを貼り付けるのに用いる面ファスナーがある。光子器固定ベルトの一端は光子手袋９の表側に固定され、その上に３つの光子発生器があり、面ファスナーは光子手袋９の裏側にある。機器１を起動させ作業確認ボタン３を押すと光子発生器が発光して皮膚のつぼに照射を行い、心血管に関連する経路を刺激する。心臓保護板作業ボタン４を押すと心臓保護板１２が発熱し、心臓の位置にぴったりと貼り付けることで心臓を保護する。従来の技術に比べ、本考案のコストは低く、使いやすく、家庭で予防治療に用いることができる。【選択図】図１
0003139726.tif 000002
【実用新案登録請求の範囲】
【請求項１】
光子手袋、心臓保護板、及び光子手袋と心臓保護板との制御に用いる機器を有し、
前記光子手袋、前記心臓保護板、及び前記機器の間は電気的に接続しており、
前記光子手袋には、親指以外の４本の指を入れる４つの穴、３本の光子器固定ベルト、及び前記光子器固定ベルトを貼り付けるのに用いる面ファスナーがあり、前記光子器固定ベルトの一端は前記光子手袋の表側に固定され、前記光子器固定ベルトは３つの光子発生器を有し、前記面ファスナーは前記光子手袋の裏側にあることを特徴とする冠動脈疾患予防マッサージ器。
【請求項２】
前記機器のパネルは、電源スイッチ、作業確認ボタン、心臓保護板作業ボタン、及びモニターを有することを特徴とする請求項１記載の冠動脈疾患予防マッサージ器。
【請求項３】
前記冠動脈疾患予防マッサージ器においては、前記光子手袋が光子信号ケーブルを通じ、前記心臓保護板が熱発生導線を通じて前記機器と電気的に接続していることを特徴とする請求項１記載の冠動脈疾患予防マッサージ器。
【請求項４】
前記機器には、光子信号ケーブルジャックと熱発生導線ジャックとが含まれ、前記光子手袋には前記光子信号ケーブルジャックが含まれ、前記心臓保護板には前記熱発生導線ジャックが含まれ、光子信号ケーブルは前記機器の前記光子信号ケーブルジャックと前記光子手袋の前記光子信号ケーブルジャックとを接続し、熱発生導線は前記機器の前記熱発生導線ジャックと前記心臓保護板の前記熱発生導線ジャックを接続していることを特徴とする請求項１記載の冠動脈疾患予防マッサージ器。
【考案の詳細な説明】
【技術分野】
【０００１】
本考案は、医療機器、特に冠動脈疾患予防マッサージ器に関する。
【背景技術】
【０００２】
心血管病は、人類の健康に関する一番の死因である。現在、一般的な薬物治療の効果はよくなく、病状が重大な場合、心血管を直接手術する介入治療を行う必要がある。介入治療の手術費用は、一般大衆には受け入れがたい金額である。さらに、ＰＴＣＡ（経皮的冠動脈形成術）を行うと、手術後６ヵ月以内に再発することがよくある。その発生率は３０〜５０％にも達し、介入治療が直面する重要な課題となっている。
【考案の開示】
【考案が解決しようとする課題】
【０００３】
本考案の目的は、治療コストの低い冠動脈疾患予防マッサージ器を提供することである。
【課題を解決するための手段】
【０００４】
本考案の目的は、次のように実現される。本考案による冠動脈疾患予防マッサージ器は、光子手袋、心臓保護板及び光子手袋と心臓保護板との制御に用いる機器を含み、この三者の間は電気的に接続している。この光子手袋には、親指以外の４本の指を入れる４つの穴、３本の光子器固定ベルト、及び光子器固定ベルトを貼り付けるのに用いる面ファスナーがある。この光子器固定ベルトの一端は光子手袋の表側に固定され、その上に３つの光子発生器があり、面ファスナーは光子手袋の裏側にある。
（考案の効果）
【０００５】
従来の技術に比べ、本考案のコストは低く、使いやすく、家庭で冠動脈疾患の予防及び治療効果の改善に用いることができる。
【考案を実施するための最良の形態】
【０００６】
以下、本考案の一実施例を図面により説明する。
図１に示すように、本実施例による冠動脈疾患予防マッサージ器には、機器１及び光子手袋９、心臓保護板１２、充電整流器１８が含まれる。光子手袋９及び心臓保護板１２は、光子信号ケーブル１６及び熱発生導線１７を介し、それぞれ機器１と電気的に接続している。
【０００７】
機器１は、光子手袋９と心臓保護板１２の制御に用いられる。機器１内には、図示しない駆動回路及び光子出力制御回路、時間制御回路、充電回路、充電バッテリがある。また、機器１には、電源スイッチ２、作業確認ボタン３、心臓保護板作業ボタン４、光子信号ケーブルジャック５、熱発生導線ジャック６及びモニター８が含まれる。
【０００８】
図２に示すように、光子手袋９には４つの穴があり、親指以外の４本の指を入れるのに用い、３本の光子器固定ベルト１５の一端は光子手袋９の表側に固定され、その上に３つの光子発生器１１がある。また、光子手袋９には、光子信号ケーブルジャック１０と面ファスナー１４がある。この面ファスナー１４は光子手袋９の裏側にあり、光子器固定ベルト１５を貼り付けるのに用いられる。
【０００９】
図３に示すように、心臓保護板１２には、熱発生導線ジャック１３が含まれる。
図１及び図４、５に示すように、使用時には４本の指を光子手袋９に入れ、光子器固定ベルト１５を指の間から手の甲に向けて折り返し、面ファスナー１４に固定する。このとき、光子発生器１１はそれぞれ指の間の皮膚のつぼに当たっている。
【００１０】
光子信号ケーブル１６の各端を、機器１の光子信号ケーブルジャック５と光子手袋９の光子信号ケーブルジャック１０にそれぞれ差し込む。熱発生導線１７を用いて、機器１の熱発生導線ジャック６と心臓保護板１２の熱発生導線ジャック１３とを接続する。使用時には、機器１の電源スイッチ２を入れ、作業確認ボタン３と心臓保護板作業ボタン４とを操作する。
【００１１】
作業確認ボタン３を押すと、光子発生器１１が発光し、皮膚のつぼに照射を行い、このつぼが対応する心血管に関連する経絡を刺激する。心臓保護板作業ボタン４を押すと、心臓保護板１２が発熱し、心臓の前の位置の皮膚にぴったりと貼り付けることができ、心臓を保護する。以上説明した方法によると、冠動脈疾患の病状の進行を防ぎ、また介入治療後であれば再発を抑える効果がある。
【００１２】
また本実施例では、機器１に電気がなくなった場合、充電整流器１７を電源に差し、充電を行うことができる。さらに本実施例は、本考案の趣旨を変更しない範囲において変更可能な実施例である。
【図面の簡単な説明】
【００１３】
【図１】本考案の一実施例による冠動脈疾患予防マッサージ器の使用状態を示す模式図である。
【図２】本考案の一実施例による冠動脈疾患予防マッサージ器の光子手袋を示す模式図である。
【図３】本考案の一実施例による冠動脈疾患予防マッサージ器の心臓保護板を示す模式図である。
【図４】本考案の一実施例による冠動脈疾患予防マッサージ器の光子手袋の使用状態を手の表側から見た模式図である。
【図５】本考案の一実施例による冠動脈疾患予防マッサージ器の光子手袋の使用状態を手の裏側から見た模式図である。
【符号の説明】
【００１４】
１：機器、２：電源スイッチ、３：作業確認ボタン、４：心臓保護板作業ボタン、５：光子信号ケーブルジャック、６：熱発生導線ジャック、８：モニター、９：光子手袋、１０：光子信号ケーブルジャック、１１：光子発生器、１２：心臓保護板、１３：熱発生導線ジャック、１４：面ファスナー、１５：光子器固定ベルト、１６：光子信号ケーブル、１７：熱発生導線、１８：充電整流器
【図１】
0003139726.tif 000003
【図２】
0003139726.tif 000004
【図３】
0003139726.tif 000005
【図４】
0003139726.tif 000006
【図５】
0003139726.tif 000007